(57)【要約】【課題】複数台のディスプレイが周辺に存在する場合に、ユーザがポインタを表示させたいディスプレイを指定可能にする。【解決手段】情報処理装置と１以上の表示装置とを備える表示システムであって、表示装置はそれぞれ、ポインタを表示装置に表示させるための第１の設定情報を情報処理装置から受信する受信部と、第１の設定情報に基づいて、表示画像にポインタ及び表示装置ＩＤを合成した合成画像を表示する表示部とを備え、情報処理装置は、合成画像を撮像する撮像部と、撮像された合成画像から表示装置ＩＤを抽出する抽出部と、抽出された表示装置ＩＤを使用して、ポインタを表示装置に表示させるための第２の設定情報を作成し、１以上の表示装置へ送信する送信部とを備える。【選択図】  図１
2014206600.tif 000002
【特許請求の範囲】
【請求項１】
情報処理装置と１以上の表示装置とを備える表示システムであって、
前記表示装置はそれぞれ、
ポインタを表示装置に表示させるための第１の設定情報を前記情報処理装置から受信する受信手段と、
前記第１の設定情報に基づいて、表示画像にポインタ及び表示装置ＩＤを合成した合成画像を表示する表示手段と、を備え、
前記情報処理装置は、
前記合成画像を撮像する撮像手段と、
前記撮像された前記合成画像から表示装置ＩＤを抽出する抽出手段と、
前記抽出された表示装置ＩＤを使用して、ポインタを表示装置に表示させるための第２の設定情報を作成し、前記１以上の表示装置へ送信する送信手段と、
を備えることを特徴とする表示システム。
【請求項２】
前記表示手段は、前記情報処理装置から受信した前記第２の設定情報に基づいて、自装置が前記抽出された表示装置ＩＤに対応する表示装置である場合、表示画像にポインタを合成して表示することを特徴とする請求項１に記載の表示システム。
【請求項３】
前記表示手段は、前記情報処理装置から受信した前記第２の設定情報に基づいて、自装置が前記抽出された表示装置ＩＤに対応しない表示装置である場合、表示画像を表示することを特徴とする請求項１又は２に記載の表示システム。
【請求項４】
前記情報処理装置は、自装置のＩＤ情報を前記表示装置へ送信するＩＤ情報送信手段をさらに備え、
前記表示装置は、前記ＩＤ情報を、予め保持している認証リストに従って認証する認証処理手段をさらに備えることを特徴とする請求項１乃至３の何れか１項に記載の表示システム。
【請求項５】
前記ポインタの表示形態は、前記情報処理装置に固有の表示形態であることを特徴とする請求項１乃至４の何れか１項に記載の表示システム。
【請求項６】
前記表示手段は、前記第１の設定情報に基づいて、表示画像に、ポインタ及び表示装置ＩＤを相互に隣接して合成した合成画像を表示することを特徴とする請求項１乃至５の何れか１項に記載の表示システム。
【請求項７】
前記表示手段は、前記第１の設定情報に基づいて前記表示装置ＩＤを含む合成画像を表示してから、前記情報処理装置から前記第２の設定情報を受信するまでに、一定期間経過した場合、前記表示装置ＩＤの表示を中止することを特徴とする請求項１乃至６の何れか１項に記載の表示システム。
【請求項８】
情報処理装置と１以上の表示装置とを備える表示システムの制御方法であって、
前記表示装置のそれぞれにおいて、
受信手段が、ポインタを表示装置に表示させるための第１の設定情報を前記情報処理装置から受信する受信工程と、
表示手段が、前記第１の設定情報に基づいて、表示画像にポインタ及び表示装置ＩＤを合成した合成画像を表示する表示工程と、を有し、
前記情報処理装置において、
撮像手段が、前記合成画像を撮像する撮像工程と、
抽出手段が、前記撮像された前記合成画像から表示装置ＩＤを抽出する抽出工程と、
送信手段が、前記抽出された表示装置ＩＤを使用して、ポインタを表示装置に表示させるための第２の設定情報を作成し、前記１以上の表示装置へ送信する送信工程と、
を有することを特徴とする表示システムの制御方法。
【請求項９】
ポインタを表示装置に表示させるための設定情報を情報処理装置から受信する受信手段と、
前記設定情報に基づいて、表示画像にポインタ及び表示装置ＩＤを合成した合成画像を表示する表示手段と、
を備えることを特徴とする表示装置。
【請求項１０】
表示画像にポインタ及び表示装置ＩＤが合成されて表示装置に表示されている合成画像を撮像する撮像手段と、
前記撮像された前記合成画像から表示装置ＩＤを抽出する抽出手段と、
前記抽出された表示装置ＩＤを使用して、ポインタを表示装置に表示させるための設定情報を作成し、前記表示装置へ送信する送信手段と、
を備えることを特徴とする情報処理装置。
【請求項１１】
表示装置の制御方法であって、
受信手段が、ポインタを表示装置に表示させるための設定情報を情報処理装置から受信する受信工程と、
表示手段が、前記設定情報に基づいて、表示画像にポインタ及び表示装置ＩＤを合成した合成画像を表示する表示工程と、
を有することを特徴とする表示装置の制御方法。
【請求項１２】
情報処理装置の制御方法であって、
撮像手段が、表示画像にポインタ及び表示装置ＩＤが合成されて表示装置に表示されている合成画像を撮像する撮像工程と、
抽出手段が、前記撮像された前記合成画像から表示装置ＩＤを抽出する抽出工程と、
送信手段が、前記抽出された表示装置ＩＤを使用して、ポインタを表示装置に表示させるための設定情報を作成し、前記表示装置へ送信する送信工程と、
をことを特徴とする情報処理装置の制御方法。
【請求項１３】
請求項１１に記載の表示装置の制御方法の各工程をコンピュータに実行させるためのプログラム。
【請求項１４】
請求項１２に記載の情報処理装置の制御方法の各工程をコンピュータに実行させるためのプログラム。
【発明の詳細な説明】
【技術分野】
【０００１】
本発明は、表示システム、情報処理装置、表示装置、それらの制御方法及びプログラムに関する。
【背景技術】
【０００２】
近年、パーソナルコンピュータ上にあるプレゼンテーションファイル、動画ファイルなどを大画面ディスプレイ上に表示しながら、講演や会議がよく行われている。そして講演者が聴衆や会議の出席者に注目してもらいたい場合にはディスプレイ上の特定個所にポインタを表示することが多い。例えばパーソナルコンピュータに接続したマウスを動かすことによって表示されるポインタやレーザポインタの照射光を、直接ディスプレイにあてたりしていた。一方、会議において討論する場合や講演において聴衆から質問したり、コメントしたりする場合はレーザポインタが使われる場合が多かった。また、最近ではレーザポインタの代わりにリモコンやスマートフォンを使ってポインタを表示するケースもあり、特許文献１ではリモコンを使ってポインタを表示する技術が開示されている。
【０００３】
講演の聴衆や会議の出席者が多くなると複数台のディスプレイを同時に使って講演や会議が行われることになる。この場合、複数台のディスプレイに同時にポインタを表示したい場合と特定のディスプレイのみにポインタを表示したい場合とがある。また複数の講演や会議が近隣で同時に行われる場合もあり、この場合は特定のディスプレイのみにポインタ表示をする必要がある。
【先行技術文献】
【特許文献】
【０００４】
【特許文献１】特開２０１０-２３７９２５公報
【発明の概要】
【発明が解決しようとする課題】
【０００５】
しかしながら、特許文献１に記載の技術では、複数台のディスプレイが周辺に存在する場合に全てのディスプレイに同時にポインタを表示させたり、いくつかの特定のディスプレイだけにポインタを表示させたりする切り替えを行うことができない。
【０００６】
上記の課題に鑑み、本発明は、複数台のディスプレイが周辺に存在する場合に、ユーザがポインタを表示させたいディスプレイを指定可能にすることを目的とする。
【課題を解決するための手段】
【０００７】
上記の目的を達成する本発明に係る表示システムは、
情報処理装置と１以上の表示装置とを備える表示システムであって、
前記表示装置はそれぞれ、
ポインタを表示装置に表示させるための第１の設定情報を前記情報処理装置から受信する受信手段と、
前記第１の設定情報に基づいて、表示画像にポインタ及び表示装置ＩＤを合成した合成画像を表示する表示手段と、を備え、
前記情報処理装置は、
前記合成画像を撮像する撮像手段と、
前記撮像された前記合成画像から表示装置ＩＤを抽出する抽出手段と、
前記抽出された表示装置ＩＤを使用して、ポインタを表示装置に表示させるための第２の設定情報を作成し、前記１以上の表示装置へ送信する送信手段と、
を備えることを特徴とする。
【発明の効果】
【０００８】
本発明によれば、複数台のディスプレイが周辺に存在する場合に、ユーザがポインタを表示させたいディスプレイを指定可能になる。
【図面の簡単な説明】
【０００９】
【図１】第１及び第２実施形態に係る会議の様子を示した図。
【図２】第１及び第２実施形態における表示システムの構成例とポインタ関連情報のデータフローを示す図。
【図３】第１実施形態に係るディスプレイと携帯情報端末の動作手順を示すフローチャート。
【図４】第１及び第２実施形態においてポインタを表示する前のディスプレイ１２１、１２２、１２３の表示画像の一例を示す図。
【図５】第１実施形態においてポインタを表示したディスプレイ１２１、１２２、１２３の表示画像の一例を示す図。
【図６】第１実施形態に係るポインタ画像データを示す図。
【図７】第１実施形態においてポインタおよびディスプレイＩＤを表示したディスプレイ１２１、１２２、１２３の表示画像の一例を示す図。
【図８】第１実施形態においてディスプレイ１２１を指定してポインタ表示を行った場合のディスプレイ１２１、１２２、１２３の表示画像の一例を示す図。
【図９】第２実施形態に係るポインタ画像データを示す図。
【図１０】第２実施形態に係るディスプレイと携帯情報端末の動作のシーケンスを示す図。
【図１１】第２実施形態においてポインタおよびディスプレイＩＤを表示したディスプレイ１２１、１２２、１２３の表示画像を示す図。
【図１２】第２実施形態においてディスプレイ１２１を指定してポインタ表示を行った場合のディスプレイ１２１、１２２、１２３の表示画像の一例を示す図。
【発明を実施するための形態】
【００１０】
（第１実施形態）
本実施形態では、ディスプレイにプレゼンテーションファイルや画像ファイルを表示して会議を行う場合を考える。
【００１１】
図１は本発明の実施形態に係る会議の様子を示した図である。同図において１０１は会議の発表者、１０２〜１０５はそれぞれ会議の出席者を示す。
【００１２】
１１１は発表者１０１が説明に使うプレゼンテーションファイルや、画像ファイル等が入っているパーソナルコンピュータである。１２１〜１２３はパーソナルコンピュータ１１１内のプレゼンテーションファイル、画像ファイル等を表示するための１以上のディスプレイ（表示装置）である。１１２〜１１５は会議の出席者１０２〜１０５が持っている携帯情報端末（情報処理装置）である。
【００１３】
会議の発表者１０１がパーソナルコンピュータ１１１内のプレゼンテーションファイル、画像ファイル等を開き、ディスプレイ１２１〜１２３に表示する。会議の発表者１０１がディスプレイ１２１〜１２３上でポインタ表示したい場合はパーソナルコンピュータ１１１に接続したマウスなどを使えば特定の位置にポインタを表示できる。
【００１４】
一方、会議の出席者１０２〜１０５がディスプレイ１２１〜１２３上でポインタ表示したい場合は携帯情報端末１１２〜１１５を使って以下の手順を行う。
【００１５】
まず携帯情報端末１１２〜１１５からディスプレイ１２１〜１２３にポインタ表示設定を行い、その後、ポインタ画像、ポインタ表示位置に関する情報を送ることによりポインタ表示を行う。ポインタ表示設定にはポインタを表示させるディスプレイを特定するためにディスプレイＩＤ（表示装置ＩＤ）の指定が含まれている。１台の携帯情報端末から周辺にある全てのディスプレイに対してポインタ表示をさせる場合にはディスプレイＩＤを全てのディスプレイを示す値に設定する。
【００１６】
図２は、第１実施形態に係る表示システムの構成要素とポインタ関連情報のデータフローを示した図である。同図において１１２１、１１３１、１１４１、１１５１は、それぞれ携帯情報端末１１２、１１３、１１４、１１５の識別情報や使用者の個人情報などのＩＤ情報を管理する携帯ＩＤ情報管理部である。１１２２、１１３２、１１４２、１１５２はポインタを表示させるための各種設定、ポインタ画像、ポインタ位置を設定するためのポインタ設定部である。１１２３、１１３３、１１４３、１１５３はポインタ設定部１１２２、１１３２、１１４２、１１５２からポインタ設定情報を受け、画像を表示させるとともにポインタ表示位置データをポインタ設定部１１２２、１１３２、１１４２、１１５２に転送する画像表示部である。１１２４、１１３４、１１４４、１１５４はディスプレイの画面を撮像するための撮像部である。１１２５、１１３５、１１４５、１１５５は撮像部１１２４、１１３４、１１４４、１１５４が撮像したディスプレイ表示画像を解析し、ディスプレイＩＤを抽出するためのディスプレイＩＤ抽出部である。
【００１７】
１２１１、１２２１、１２３１は携帯ＩＤ情報管理部１１２１、１１３１、１１４１、１１５１から携帯情報端末１１２、１１３、１１４、１１５のＩＤ情報を受け取り、認証処理を行うための認証処理部である。１２１２、１２２２、１２３２は認証処理部１２１１、１２２１、１２３１にあらかじめ設定され、保持されているディスプレイ１２１、１２２、１２３との通信が許可されている携帯情報端末の端末リストである。１２１３、１２２３、１２３３はディスプレイ１２１、１２２、１２３の表示画像を生成するための表示画像生成部である。１２１４、１２２４、１２３４は表示画像生成部１２１３、１２２３、１２３３が生成した表示画像を表示するための画像表示部である。１２１５、１２２５、１２３５は表示画像生成部１２１３、１２２３、１２３３に内蔵されているタイマーである。なお、携帯情報端末１１２、１１３、１１４、１１５とディスプレイ１２１、１２２、１２３間のデータ送受信は無線通信で行うようになっている。
【００１８】
図３は、第１実施形態に係る表示システムで実施される処理の手順を示すフローチャートである。以下、図１、図２及び図３を参照して、本実施形態におけるポインタ表示動作を説明する。会議の出席者１０２が携帯情報端末１１２を使ってポインタ表示処理を開始する。
【００１９】
ステップＳ３０１において、会議の出席者１０２は携帯情報端末１１２の携帯ＩＤ情報管理部１１２１から、携帯ＩＤ情報をディスプレイ１２１の認証処理部１２１１に送信する（ＩＤ情報送信）。認証処理部１２１１はあらかじめ通信が許可されている携帯情報端末が記載されている端末認証リスト１２１２と照合することにより認証処理を行う。認証処理部１２１１が認証しない場合は（Ｓ３０１；ＮＯ）、ポインタ表示処理は終了となる。一方、認証処理部１２１１が携帯情報端末１１２を認証する場合は（Ｓ３０１；ＹＥＳ）、ステップＳ３０２へ進む。
【００２０】
ステップＳ３０２において、会議の出席者１０２は携帯情報端末１１２の画像表示部１１２３上にタッチするなどしてポインタ設定部１１２２に対してポインタ設定を行う。
【００２１】
携帯情報端末１１２から各ディスプレイに送信するポインタ表示設定情報はポインタ表示を行うディスプレイの指定、ポインタの画像データ、ポインタの表示位置データ、その他のポインタ設定情報等を含む。
【００２２】
ポインタ表示を行うディスプレイの指定はあらかじめ各ディスプレイに設定されているディスプレイＩＤを各ディスプレイに通知することにより行う。ポインタの画像データは作成しても、あらかじめ用意されているポインタ画像の中から選択してもよい。各携帯情報端末を区別するため、オリジナルのポインタ画像を用意し、各ディスプレイに送信する。
【００２３】
ここで図６は、本実施形態において選択されたポインタ画像データの一例を示す。なお、ポインタとして表示する情報として携帯情報端末１１２内に保持している出席者１０２の氏名、メールアドレスなどの個人情報を表示してもよい。ポインタ表示位置データは表示画面上の絶対位置を座標で示してもよいし、現在のポインタ表示位置からの相対的な移動ベクトルで示してもよい。どのようにポインタ表示を指定するかは上記その他のポインタ設定情報に含まれている。
【００２４】
ステップＳ３０３において、ポインタ表示ディスプレイ指定、ポインタ画像データ、ポインタ表示位置データ、その他のポインタ設定などのポインタ表示設定情報（第１の設定情報）が携帯情報端末１１２からディスプレイ１２１、１２２、１２３に転送される。ここで図４の４０１、４０２、４０３はそれぞれディスプレイ１２１、１２２、１２３の表示画像を示す。
【００２５】
ステップＳ３０４において、ディスプレイ１２１、１２２、１２３は携帯情報端末１１２から受信したポインタ表示設定情報によりポインタ表示が特定のディスプレイを対象としているのか、又は全てのディスプレイを対象としているのかを判定する。そして全てのディスプレイを対象としている場合は（Ｓ３０４；ＮＯ）、ステップＳ３０５へ進む。特定のディスプレイを対象としている場合は（Ｓ３０４；ＹＥＳ）、ステップＳ３０６へ進む。
【００２６】
ステップＳ３０５において、ディスプレイ１２１、１２２、１２３内の表示画像生成部１２１３、１２２３、１２３３は現在の表示画像にポインタ画像を合成して合成画像を作成し、画像表示部１２１４、１２２４、１２３４に転送し、表示する。ここで図５の５０１、５０２、５０３はそれぞれディスプレイ１２１、１２２、１２３の表示画像を示し、最初に表示していた画面上にポインタとしてスマイルマーク５１１、５１２、５１３がそれぞれ合成されて表示されている。このスマイルマークはこのポインタが会議の出席者１０２が表示させた携帯情報端末１１２に対応したポインタであることを示すものである。
【００２７】
ステップＳ３０６において、ディスプレイ１２１、１２２、１２３内の表示画像生成部１２１３、１２２３、１２３３は現在の表示画像にポインタ画像およびディスプレイＩＤを合成し画像表示部１２１４、１２２４、１２３４に転送し、表示する。ここで図７の７０１、７０２、７０３はそれぞれ各々ディスプレイ１２１、１２２、１２３の表示画像を示し、最初に表示していた画面上にポインタとしてスマイルマークおよびディスプレイＩＤが合成されて、合成画像が表示されている。例えば、スマイルマークおよびディスプレイＩＤは相互に隣接して表示される。ここではディスプレイ１２１、１２２、１２３のディスプレイＩＤを各々１２１、１２２、１２３としている。
【００２８】
ステップＳ３０７において、携帯情報端末１１２は撮像部１１２４により図７の７０１に示すポインタを表示したいディスプレイ１２１の表示画像を撮像し、ディスプレイＩＤ抽出部１１２５に送る。
【００２９】
次にステップＳ３０８において、ディスプレイＩＤ抽出部１１２５はステップＳ３０７で撮像したディスプレイ１２１の表示画像を解析し、ディスプレイ１２１のディスプレイＩＤを抽出し、ポインタ設定部１１２２に送る。
【００３０】
ステップＳ３０９において、ポインタ設定部１１２２はステップＳ３０８で抽出したディスプレイＩＤを使って自動的にポインタ設定を再度行う。なお、ディスプレイＩＤ以外のポインタ表示設定情報はステップＳ３０２と同じ値を使用する。ステップＳ３１０において、再設定したポインタ表示設定情報（第２の設定情報）が携帯情報端末１１２からディスプレイ１２１、１２２、１２３に転送される。
【００３１】
ステップＳ３１１において、ディスプレイ１２１、１２２、１２３は携帯情報端末１１２からポインタ表示設定情報を受信する。このポインタ表示設定情報からディスプレイ１２１内の表示画像生成部１２１３は元の表示画像にポインタ画像を合成し画像表示部１２１４に転送し、表示する。一方、ディスプレイ１２２、１２３内の表示画像生成部１２２３、１２３３は元の表示画像のみを画像表示部１２１４に転送し、表示する。このときのディスプレイ１２１、１２２、１２３の表示画像はそれぞれ図８の８０１、８０２、８０３に示す通りである。その後、処理を終了する。
【００３２】
以上説明したように、ポインタ表示したいディスプレイのディスプレイＩＤを指定することにより特定のディスプレイのみにポインタを表示できる。ポインタ表示したいディスプレイのディスプレイＩＤが不明な場合はまず全てのディスプレイにポインタ表示するようにディスプレイＩＤを設定する。次にポインタおよびディスプレイＩＤを表示させた表示画像を携帯情報端末１１２が撮像し、画像からディスプレイＩＤを抽出する。そして抽出したディスプレイＩＤを使ってポインタ表示したいディスプレイの指定を行うことにより特定のディスプレイのみにポインタ表示することができる。
【００３３】
本実施形態によれば、複数台のディスプレイ全てにポインタ表示したり、特定のディスプレイのみにポインタ表示したりする切り替えが容易にできるようになる。また、複数台のディスプレイの表示画像が同じ場合でもディスプレイＩＤを表示させて撮像することにより特定のディスプレイのみにポインタ表示する制御が可能になる。
【００３４】
（第２実施形態）
本実施形態では、複数の携帯情報端末からポインタ表示する場合を説明する。第１実施形態と同じ構成要素には同じ参照符号を付している。
【００３５】
図９の９０１、９０２、９０３、９０４はそれぞれ第２実施形態に係る携帯情報端末１１２、１１３、１１４、１１５のポインタ画像を示す。各ポインタの表示形態は携帯情報端末に固有の表示形態であり、表示形態を確認すると誰の携帯端末によるポインタであるかが認識できる。
【００３６】
図１０は、に第２実施形態に係る携帯情報端末１１２、１１３、１１４、１１５とディスプレイ１２１、１２２、１２３の動作シーケンスを示す。
【００３７】
ステップＳ１００１において、携帯情報端末１１２からディスプレイ１２１、１２２、１２３に対して携帯ＩＤ情報を送信する。ステップＳ１００２においてディスプレイ１２１、１２２、１２３は認証処理部１２１１、１２２１、１２３１において携帯ＩＤを端末リスト１２１２、１２２２、１２３２と照合し携帯情報端末１１２を認証する。
【００３８】
同様にステップＳ１００３において、携帯情報端末１１３からディスプレイ１２１、１２２、１２３に対して携帯ＩＤ情報を送信する。ステップＳ１００４においてディスプレイ１２１、１２２、１２３は認証処理部１２１１、１２２１、１２３１において携帯ＩＤを端末リスト１２１２、１２２２、１２３２と照合し携帯情報端末１１３を認証する。
【００３９】
同様にステップＳ１００５において、携帯情報端末１１４からディスプレイ１２１、１２２、１２３に対して携帯ＩＤ情報を送信する。ステップＳ１００６において、ディスプレイ１２１、１２２、１２３は認証処理部１２１１、１２２１、１２３１において携帯ＩＤを端末リスト１２１２、１２２２、１２３２と照合し携帯情報端末１１４を認証する。
【００４０】
同様にステップＳ１００７において、携帯情報端末１１５からディスプレイ１２１、１２２、１２３に対して携帯ＩＤ情報を送信する。ステップＳ１００８において、ディスプレイ１２１、１２２、１２３は認証処理部１２１１、１２２１、１２３１において携帯ＩＤを端末リスト１２１２、１２２２、１２３２と照合し携帯情報端末１１５を認証する。
【００４１】
ステップＳ１００９において、携帯情報端末１１２はポインタ設定部１１２２において全てのディスプレイにポインタとディスプレイＩＤを表示させる設定を行う。続いてステップＳ１０１０において、携帯情報端末１１２はこのポインタ設定を全てのディスプレイに送信する。ステップＳ１０１１においてディスプレイ１２１、１２２、１２３は携帯情報端末１１２からのポインタ設定を受信し、ポインタおよびディスプレイＩＤを表示する。
【００４２】
同様にしてステップＳ１０１２において、携帯情報端末１１３はポインタ設定部１１３２において全てのディスプレイにポインタとディスプレイＩＤを表示させる設定を行う。続いてステップＳ１０１３において、携帯情報端末１１３はこのポインタ設定を全てのディスプレイに送信する。ステップＳ１０１４においてディスプレイ１２１、１２２、１２３は携帯情報端末１１３からのポインタ設定を受信し、ポインタおよびディスプレイＩＤを表示する。
【００４３】
同様にしてステップＳ１０１５において、携帯情報端末１１４はポインタ設定部１１４２において全てのディスプレイにポインタとディスプレイＩＤを表示させる設定を行う。続いてステップＳ１０１６において、携帯情報端末１１４はこのポインタ設定を全てのディスプレイに送信する。ステップＳ１０１７において、ディスプレイ１２１、１２２、１２３は携帯情報端末１１４からのポインタ設定を受信し、ポインタおよびディスプレイＩＤを表示する。
【００４４】
同様にしてステップＳ１０１８において、携帯情報端末１１５はポインタ設定部１１５２において全てのディスプレイにポインタとディスプレイＩＤを表示させる設定を行う。続いてステップＳ１０１９において、携帯情報端末１１５はこのポインタ設定を全てのディスプレイに送信する。ステップＳ１０２０において、ディスプレイ１２１、１２２、１２３は携帯情報端末１１５からのポインタ設定（第１の設定情報）を受信し、ポインタおよびディスプレイＩＤを表示する。
【００４５】
ディスプレイ１２１、１２２、１２３がポインタおよびディスプレイＩＤを表示した表示画像の一例をそれぞれ図１１の１１０１、１１０２、１１０３に示す。携帯情報端末１１２、１１３、１１４、１１５のポインタとポインタに隣接してディスプレイ１２１、１２２、１２３のディスプレイＩＤが表示されている。
【００４６】
次にステップＳ１０２１において、携帯情報端末１１２の撮像部１１２４はディスプレイ１２１の表示画像を撮像し、ディスプレイＩＤ抽出部１１２５に送る。ディスプレイＩＤ抽出部１１２５は画像解析によりディスプレイＩＤを抽出し、ポインタ設定部１１２２に送る。
【００４７】
ステップＳ１０２２において、携帯情報端末１１２はステップＳ１０２１で抽出したディスプレイＩＤを使い、ディスプレイ１２１にだけポインタ表示するためのポインタ設定を行う。続いてステップＳ１０２３において、携帯情報端末１１２はディスプレイ１２１、１２２、１２３にポインタ設定を送信する。ステップＳ１０２４において、ディスプレイ１２１は携帯情報端末１１２からのポインタ設定を受信し、ポインタは表示し続け、隣接して表示しているディスプレイＩＤを消去する。ディスプレイ１２２、１２３は携帯情報端末１１２からのポインタ設定を受信し、ポインタおよび隣接して表示しているディスプレイＩＤを消去する。
【００４８】
同様にステップＳ１０２５において、携帯情報端末１１３の撮像部１１３４はディスプレイ１２１の表示画像を撮像し、ディスプレイＩＤ抽出部１１３５に送る。ディスプレイＩＤ抽出部１１３５は画像解析によりディスプレイＩＤを抽出し、ポインタ設定部１１３２に送る。
【００４９】
ステップＳ１０２６において、携帯情報端末１１３はステップＳ１０２５で抽出したディスプレイＩＤを使い、ディスプレイ１２１にだけポインタ表示するためのポインタ設定を行う。続いてステップＳ１０２７において携帯情報端末１１３はディスプレイ１２１、１２２、１２３にポインタ設定を送信する。ステップＳ１０２８において、ディスプレイ１２１は携帯情報端末１１３からのポインタ設定を受信し、ポインタは表示し続け、隣接して表示しているディスプレイＩＤを消去する。ディスプレイ１２２、１２３は携帯情報端末１１３からのポインタ設定を受信し、ポインタおよび隣接して表示しているディスプレイＩＤを消去する。
【００５０】
同様にステップＳ１０２９において、携帯情報端末１１４の撮像部１１４４はディスプレイ１２１の表示画像を撮像し、ディスプレイＩＤ抽出部１１４５に送る。ディスプレイＩＤ抽出部１１４５は画像解析によりディスプレイＩＤを抽出し、ポインタ設定部１１４２に送る。
【００５１】
ステップＳ１０３０において、携帯情報端末１１４はステップＳ１０２９で抽出したディスプレイＩＤを使い、ディスプレイ１２１にだけポインタ表示するためのポインタ設定を行う。続いてステップＳ１０３１において、携帯情報端末１１４はディスプレイ１２１、１２２、１２３にポインタ設定を送信する。ステップＳ１０３２において、ディスプレイ１２１は携帯情報端末１１４からのポインタ設定を受信し、ポインタは表示し続け、隣接して表示しているディスプレイＩＤを消去する。ディスプレイ１２２、１２３は携帯情報端末１１４からのポインタ設定を受信し、ポインタおよび隣接して表示しているディスプレイＩＤを消去する。
【００５２】
ステップＳ１０３３において、ステップＳ１０２０から一定期間、携帯情報端末１１５から新たなポインタ設定（第２の設定情報）が受信できなかったため、タイマー１２１５、１２２５、１２３５はタイムアウトと判定する。ステップＳ１０３４において、ディスプレイ１２１、１２２、１２３は携帯情報端末１１５のポインタ表示に隣接して表示しているディスプレイＩＤを消去する。すなわち、第１の設定情報に基づいてディスプレイＩＤを含む合成画像を表示してから、携帯情報端末から第２の設定情報を受信するまでに、一定期間経過した場合、ディスプレイＩＤの表示を中止する。
【００５３】
ステップＳ１０３４の処理後、ディスプレイ１２１、１２２、１２３の表示画像の一例はそれぞれ図１２の１２０１、１２０２、１２０３に示す通りである。以上で図１０の処理が終了する。
【００５４】
以上説明したように、本実施形態によれば、複数台のディスプレイにディスプレイＩＤを携帯情報端末のポインタに隣接して表示させ、撮像することにより特定のディスプレイのみにポインタ表示することが可能になる。また、一定期間ポインタ設定しないことにより全てのディスプレイにポインタ表示させることができ、ポインタ表示させるディスプレイの切替が容易になる。
【００５５】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014206600.tif 000003
【図２】
2014206600.tif 000004
【図３】
2014206600.tif 000005
【図４】
2014206600.tif 000006
【図５】
2014206600.tif 000007
【図６】
2014206600.tif 000008
【図７】
2014206600.tif 000009
【図８】
2014206600.tif 000010
【図９】
2014206600.tif 000011
【図１０】
2014206600.tif 000012
【図１１】
2014206600.tif 000013
【図１２】
2014206600.tif 000014